【手続補正書】
【提出日】平成19年7月17日(2007.7.17)
【手続補正１】
【補正対象書類名】明細書
【補正対象項目名】全文
【補正方法】変更
【補正の内容】
【書類名】      明細書
【発明の名称】  飲料用容器
【特許請求の範囲】
【請求項１】  容器本体の上部に筒状の飲口部を突設し、この飲口部を閉塞する閉塞蓋を容器本体の上部に起伏回動開閉自在に設けると共に、この閉塞蓋は開放起動する方向に回動付勢されるように構成し、この閉塞蓋に係止して閉塞蓋を閉塞状態に保持する係止部を前記容器本体に設け、この係止部の閉塞蓋への係止状態を押動することで解除する解除押動部を容器本体に設けて、この解除押動部を押動すると閉塞蓋が自動開放起動するように構成した飲料用容器において、前記解除押動部に対して接離スライド移動するストッパ部を設け、このストッパ部は、解除押動部に接近スライド移動することで解除押動部の押動作動を阻止し得るように構成し、この解除押動部とストッパ部とは前記容器本体を携帯した手の指で操作し得る位置に設けたことを特徴とする飲料用容器。
【請求項２】  前記ストッパ部は、前記容器本体の上下方向にスライド移動するように構成したことを特徴とする請求項１記載の飲料用容器。
【請求項３】  前記ストッパ部は、前記解除押動部に接近スライド移動することでこの解除押動部に当接して解除押動部の押動作動を阻止する構成としたことを特徴とする請求項１，２のいずれか１項に記載の飲料用容器。
【請求項４】  前記解除押動部と、前記ストッパ部とを前記容器本体に並設状態に設けて、このストッパ部を指でスライド移動させて前記解除押動部を露出させることに続いてこの解除押動部を指で押動操作し得るように構成したことを特徴とする請求項１〜３のいずれか１項に記載の飲料用容器。
【請求項５】  容器本体の上部に筒状の飲口部を突設し、この飲口部を閉塞する閉塞蓋を容器本体の上部に枢着部により起伏回動開閉自在に設けると共に、この閉塞蓋は開放起動する方向に回動付勢されるように構成し、この閉塞蓋に係止して閉塞蓋を閉塞状態に保持する係止部を、前記容器本体の上部であって前記枢着部の反対側部に設け、この係止部の閉塞蓋への係止状態を押動することで解除する解除押動部を容器本体に設けて、この解除押動部を押動すると閉塞蓋が自動開放起動するように構成した飲料用容器において、前記解除押動部に前記係止部を一体に形成すると共に、この解除押動部を前記容器本体に枢着して、この解除押動部を押動することで係止部が起動回動して前記閉塞蓋への係止状態が解除されるように構成し、この解除押動部に対し前記容器本体の上下方向にスライド移動するストッパ部を設けると共に、このストッパ部は、解除押動部に対し上方へスライド移動することで解除押動部の下部に接して解除押動部を押動できないように阻止する構成とし、この解除押動部とストッパ部とは、前記容器本体の上部位置に設けて、この容器本体を携帯した手の指でストッパ部をスライド操作した後、同じ指で解除押動部を押動操作し得るように構成したことを特徴とする飲料用容器。
【発明の詳細な説明】
【０００１】
【発明の属する技術分野】
本発明は、解除押動部を押動解除操作すると閉塞蓋が自動開放し、これによって露出する飲口部にそのまま口をつけて飲むことができる飲料用容器に関するものである。
【０００２】
【従来の技術及び発明が解決しようとする課題】
従来から、容器本体の上部に筒状の飲口部を突設し、この飲口部を閉塞する閉塞蓋を容器本体の上部に起伏回動開閉自在に設けると共に、この閉塞蓋は開放起動する方向に回動付勢されるように構成し、この閉塞蓋に係止して閉塞蓋を閉塞状態に保持する係止部を前記容器本体に設け、この係止部の閉塞蓋への係止状態を解除する解除押動部を容器本体に設けて、この解除押動部を解除操作すると係止部の前記閉塞蓋に対する係止状態が解除されて閉塞蓋が自動開放起動し、これよって露出する飲口部にそのまま口をつけて飲むことができる飲料用容器が実施されている。
【０００３】
しかし、このような従来の飲料用容器には、解除押動部を操作不能な状態に保持する機能がなかったため、この飲料用容器携帯時に誤って解除押動部に触れてしまうことで閉塞蓋が不意に開放してしまい、場合によっては中身（飲料）が漏れ出てしまうことがあった。
【０００４】
本発明は、このような従来の飲料用容器の問題点に鑑み、これを解決するもので、解除押動部を押動操作不能状態とするストッパ部を設けることで、誤操作を確実に防止でき、また、このストッパ部による解除押動部の押動可能状態と押動不能状態との切替操作を、単に容器本体を携帯した手の指でスライド移動させるだけの操作により容易に行うことができる実用性に秀れた画期的な飲料用容器を提供するものである。
【０００５】
【課題を解決するための手段】
添付図面を参照して本発明の要旨を説明する。
【０００６】
容器本体１の上部に筒状の飲口部２を突設し、この飲口部２を閉塞する閉塞蓋３を容器本体１の上部に起伏回動開閉自在に設けると共に、この閉塞蓋３は開放起動する方向に回動付勢されるように構成し、この閉塞蓋３に係止して閉塞蓋３を閉塞状態に保持する係止部４を前記容器本体１に設け、この係止部４の閉塞蓋３への係止状態を押動することで解除する解除押動部５を容器本体１に設けて、この解除押動部５を押動すると閉塞蓋３が自動開放起動するように構成した飲料用容器において、前記解除押動部５に対して接離スライド移動するストッパ部６を設け、このストッパ部６は、解除押動部５に接近スライド移動することで解除押動部５の押動作動を阻止し得るように構成し、この解除押動部５とストッパ部６とは前記容器本体１を携帯した手の指で操作し得る位置に設けたことを特徴とする飲料用容器に係るものである。
【０００７】
また、前記ストッパ部６は、前記容器本体１の上下方向にスライド移動するように構成したことを特徴とする請求項１記載の飲料用容器に係るものである。
【０００８】
また、前記ストッパ部６は、前記解除押動部５に接近スライド移動することでこの解除押動部５に当接して解除押動部５の押動作動を阻止する構成としたことを特徴とする請求項１，２のいずれか１項に記載の飲料用容器に係るものである。
【０００９】
また、前記解除押動部５と、前記ストッパ部６とを前記容器本体１に並設状態に設けて、このストッパ部６を指でスライド移動させて前記解除押動部５を露出させることに続いてこの解除押動部５を指で押動操作し得るように構成したことを特徴とする請求項１〜３のいずれか１項に記載の飲料用容器に係るものである。
【００１０】
また、容器本体１の上部に筒状の飲口部２を突設し、この飲口部２を閉塞する閉塞蓋３を容器本体１の上部に枢着部７により起伏回動開閉自在に設けると共に、この閉塞蓋３は開放起動する方向に回動付勢されるように構成し、この閉塞蓋３に係止して閉塞蓋３を閉塞状態に保持する係止部４を、前記容器本体１の上部であって前記枢着部７の反対側部に設け、この係止部４の閉塞蓋３への係止状態を押動することで解除する解除押動部５を容器本体１に設けて、この解除押動部５を押動すると閉塞蓋３が自動開放起動するように構成した飲料用容器において、前記解除押動部５に前記係止部４を一体に形成すると共に、この解除押動部５を前記容器本体１に枢着して、この解除押動部５を押動することで係止部４が起動回動して前記閉塞蓋３への係止状態が解除されるように構成し、この解除押動部５に対し前記容器本体１の上下方向にスライド移動するストッパ部６を設けると共に、このストッパ部６は、解除押動部５に対し上方へスライド移動することで解除押動部５の下部に接して解除押動部５を押動できないように阻止する構成とし、この解除押動部５とストッパ部６とは、前記容器本体１の上部位置に設けて、この容器本体１を携帯した手の指でストッパ部６をスライド操作した後、同じ指で解除押動部５を押動操作し得るように構成したことを特徴とする飲料用容器に係るものである。
【００１１】
【発明の実施の形態】
好適と考える本発明の実施の形態（発明をどのように実施するか）を、図面に基づいてその作用効果を示して簡単に説明する。
【００１２】
閉塞蓋３を容器本体１の上部に伏動させることで飲口部２を閉塞でき、この閉塞蓋３に係止部４を係止させることでこの閉塞状態を維持できるが、更にストッパ部６を解除操作部５に対し接近スライド移動させると、このストッパ部６によって解除押動部５の押動作動が阻止され、解除押動部５に不意に触れて閉塞蓋３が開放してしまうなどの誤操作を確実に防止できることになる。
【００１３】
容器本体１内の飲料を飲みたい時は、解除押動部５からストッパ部６を離反スライド移動させると、解除押動部５を押動解除操作することができ、この解除押動部５を押動すると、係止部４の前記閉塞蓋３に対する係止状態が解除されて閉塞蓋３が自動開放起動し飲口部２が露出するので、この飲口部２にそのまま口をつけて容器本体１内の飲料を飲むことができる。
【００１４】
また、このストッパ部６は、単にスライドさせるだけの容易な操作で、簡単に解除押動部５を押動可能状態と押動不能状態とに切替操作できる上、このストッパ部６は容器本体１を携帯した手の指で操作し得る位置に設けられているため、このストッパ部６のスライド操作を指で容易に行うことができる。
【００１５】
従って、ストッパ部６により解除押動部５の誤操作を確実に防止でき、しかもこのストッパ部６は単に容器本体１を携帯した手の指でスライド移動させるだけで解除押動部５を押動できる状態と押動できない状態とに容易に切替操作することができるなど、極めて操作性・実用性に秀れた画期的な飲料用容器となる。
【００１６】
また、解除押動部５も容器本体１を携帯した手の指で操作し得る位置に設けたため、特に解除押動部５を開放する際には、ストッパ部６を指でスライド操作した後、同じ指で解除押動部５を押動操作するという一連の動作で操作することができるなど、極めて操作性に秀れる。
【００１７】
また、例えば、前記ストッパ部６は、前記容器本体１の上下方向にスライド移動するように構成すれば、スライド移動により前記解除押動部５を被覆するストッパ部６構造を簡易に設計実現可能となり、しかも、容器本体１を携帯した手の指でストッパ部６を上下方向にスライド操作し易い上、ストッパ部６が容器本体１の左右方向にスライド移動する構成であると、例えば容器本体１を携帯した手の親指でこのストッパ部６を横方向にスライド移動させた際に容器本体１を携帯する手が安定度を失い易いが、上下方向にスライド移動するストッパ部６によれば、親指によるスライド操作時も安定的に容器本体１を携帯することができ、よって片手で容易に操作可能であるなど、一層実用的となる。
【００１８】
また、請求項５記載の発明の場合、閉塞蓋３を容器本体１の上部に枢着部７により伏動させることで飲口部２を閉塞でき、この閉塞蓋３に係止部４を係止させることでこの閉塞状態を維持できるが、更にストッパ部６を解除操作部５に対し上方へスライド移動させると、このストッパ部６が解除押動部５の下部に接して解除押動部５が押動できないように阻止され、解除押動部５に不意に触れて閉塞蓋３が開放してしまうなどの誤操作を確実に防止できることになる。
【００１９】
容器本体１内の飲料を飲みたい時は、解除押動部５に対しストッパ部６を下方へスライド移動させると、解除押動部５を押動解除操作することができ、この解除押動部５を押動すると、係止部４の前記閉塞蓋３に対する係止状態が解除されて閉塞蓋３が自動開放起動し飲口部２が露出するので、この飲口部２にそのまま口をつけて容器本体１内の飲料を飲むことができる。
【００２０】
また、このストッパ部６は、単に容器本体１の上下方向にスライドさせるだけの容易な操作で、簡単に解除押動部５を押動可能状態と押動不能状態とに切替操作できる上、このストッパ部６は容器本体１の上部位置に設けて、この容器本体１を携帯した手の指でストッパ部６をスライド操作した後、同じ指で解除押動部５を押動操作できるため、ストッパ部６のスライド操作と解除押動部５の押動操作とを同じ指で一連の動作で容易に行うことができる。
【００２１】
【実施例】
本発明の具体的な実施例について図面に基づいて説明する。
【００２２】
本実施例は、図１〜図３に示すように容器本体１の上部に筒状の飲口部２を突設し、この飲口部２を閉塞する閉塞蓋３を容器本体１の上部に起伏回動開閉自在に設けると共に、この閉塞蓋３は開放起動する方向に回動付勢されるように構成し、この閉塞蓋３に係止して閉塞蓋３を閉塞状態に保持する係止部４を前記容器本体１に設け、この係止部４の閉塞蓋３への係止状態を押動することで解除する解除押動部５を容器本体１に設けて、この解除押動部５を押動すると係止部４の前記閉塞蓋３に対する係止状態が解除されて閉塞蓋３が自動開放起動する構成としている。
【００２３】
具体的には、容器本体１は上部開口型であって上部がやや径小となる円筒状の容器を採用している。
【００２４】
また、この容器本体１の上部径小部には、下部開口型であって短円筒状の被嵌体10を着脱自在に被嵌装着し、この被嵌体10の上面部に上方へ向けて筒状の飲口部２を斜設状態に突設している。
【００２５】
即ち、本実施例では、容器本体１の上部に飲口部２を備えた被嵌体10を設けることで容器本体１の上部に飲口部２を突設した構成としている。
【００２６】
また、この容器本体１の上部径小部に対する被嵌体10の装着構造は、単に、容器本体１の上部径小部の外周面に雄ネジ８を形成する一方、被嵌体10の内周面に雌ネジ９を形成して、容器本体１の上部径小部に被嵌体10を着脱自在に螺着する構造としている。
【００２７】
閉塞蓋３は、飲口部２を上方から被嵌して隠蔽し得る下部開口型の短円筒体とし、この閉塞蓋３の下部周縁部の所定位置を容器本体１の上部に装着した前記被嵌体10の上面部の周縁寄り所定位置に起伏回動自在に枢着している。
【００２８】
即ち、本実施例では、被嵌体10を介して容器本体１の上部に閉塞蓋３を開閉自在に設けた構成としている。
【００２９】
また、この閉塞蓋３の枢着部７には図示省略のバネ機能を設けて、この閉塞蓋３が常に開放起動する方向に回動付勢される構成としている。
【００３０】
また、この閉塞蓋３の前記飲口部２に対応する位置にシリコンゴム製の栓体11を設け、閉塞蓋３が閉塞状態にある時は、この栓体11が飲口部２に当接して密閉状態に保ち、飲口部２から容器本体１内の飲料が漏れ出ることを防止している。
【００３１】
この閉塞蓋３に係止して閉塞蓋３を閉塞状態に保持する係止部４は、前記容器本体１の上部に装着された被嵌体10の前記枢着部７と反対側の周縁部に設けている。
【００３２】
具体的には、図１，図２に示すように、被嵌体10の周面部所定位置に縦長の突出部17を一体的に設け、図３〜図５に示すように、この突出部17の中程より上側に凹所18を形成し、この凹所18内に縦長板状の係止部材12の下半分を配した上でこの係止部材12の中程を凹所18に枢着している。
【００３３】
本実施例では、この凹所18内に配した係止部材12の下半分を前記解除押動部５とし、この解除押動部５を被嵌体10内方へ向けて押動すると、中程の軸部を支点として凹所18から被嵌体10の上方に突出する係止部材12の上半分が被嵌体10の外側に向かって起動回動するように構成している。
【００３４】
また、この係止部材12の上部内側面に係止爪を設けてこの係止爪を解除押動部５の押動作動により起動回動する前記係止部４としている。
【００３５】
即ち、本実施例では、係止部４と解除押動部５とを一体に形成している。
【００３６】
また、図３〜図５に示すように、この係止部４に対応する閉塞蓋３の外周面下端部に係止部４が係合係止する係合爪を形成してこの係合爪を係合部13としている。
【００３７】
従って、図５中の矢印のように解除押動部５を被嵌体10の内方へ押動すると、係止部材12の軸部を支点にして係止部４が外側へ起動し、これにより係止部４が係合部13から係脱して閉塞蓋３が前記バネ機能により自動起動開放する構成としている。
【００３８】
また、被嵌体10の上部、即ち容器本体１の上部に設けられるこの解除押動部５は、容器本体１を携帯した手の指で操作し得る位置に設けている。
【００３９】
本実施例では、この解除押動部５に対して接離スライド移動するストッパ部６を設け、このストッパ部６は、解除押動部５に接近スライド移動することにより前記解除押動部５の押動作動を阻止して、この解除押動部５から離反スライド移動させることで解除押動部５を押動操作可能となるように構成している。
【００４０】
具体的には、ストッパ部６は、図１に示すように前記突出部17より横幅のある略方形板状に形成し、この略方形板状のストッパ部６の左右両側縁にスライド係合片19を突設している。
【００４１】
一方、図２に示すように、前記突出部17の左右両側面に縦長のガイド溝部14を形成し、この突出部17の表面にストッパ部６を重合配設すると共に左右のガイド溝部14に前記スライド係合片19を嵌入することで、突出部17に沿ってストッパ部６が容器本体１の上下方向にスライド移動するように設けている。
【００４２】
また、このストッパ部６は、解除押動部５の下側にこの解除押動部５と並設状態に配設する構成とすると共に、図３〜図５に示すように、解除押動部５側となるストッパ部６の上部にテーパ面状の阻止面部15を形成し、図４中の矢印のようにストッパ部６を上方へスライドさせて解除押動部５に接近させると、この阻止面部15が解除押動部５の下部内側面に圧接当接して解除押動部５を内側に押動できないように保持する構成としている。
【００４３】
また、このストッパ部６の表面には、指で操作する際に滑り止めとなる微細な滑り止め凸条20を複数突設し、操作性を向上させている。
【００４４】
また、本実施例では、解除押動部５と並設状態にストッパ部６を設けたが、解除操作部５は前述したように容器本体１を携帯した手の指で操作し得る位置に設けてあるため、この解除押動部５を操作し得る指でストッパ部６もスライド移動させることができる。これにより本実施例では、閉塞蓋３を開放する際に、指でストッパ部６を解除押動部５から離反スライド移動させることに続いて、同じ指でこの解除押動部５を押動操作して簡単に一連の動作で閉塞蓋３を開放させることができるように構成している。
【００４５】
図中符号16は被嵌体10の内面に設けたシリコンゴム製の漏れ止めパッキンである。
【００４６】
尚、本発明は、本実施例に限られるものではなく、各構成要件の具体的構成は適宜設計し得るものである。
【００４７】
【発明の効果】
本発明は上述のように構成したから、ストッパ部により解除押動部の誤操作を確実に防止でき、また、このストッパ部は単に容器本体を携帯した手の指でスライド移動させるだけで解除押動部を押動できる状態と押動できない状態とに容易に切替操作することができる上、解除押動部も容器本体を携帯した手の指で押動操作し得る位置に設けたため、解除押動部を押動操作し易く、特に解除押動部を開放する際には、ストッパ部を指でスライド操作した後、同じ指で解除押動部を押動操作するという一連の動作で行うことができるなど、極めて操作性に秀れ、実用性に秀れた画期的な飲料用容器となる。
【００４８】
また、請求項２記載の発明においては、スライド移動により前記解除押動部を被覆するストッパ部構造を簡易に設計実現可能となり、しかも、容器本体を携帯した手の指は、ストッパ部を上下方向にスライド操作し易い上、ストッパ部が容器本体の左右方向にスライド移動する構成であると、例えば容器本体を携帯した手の親指でこのストッパ部を横方向にスライド移動させた際に容器本体を携帯する手が安定度を失い易いが、上下方向にスライド移動するストッパ部によれば、親指によるスライド操作時でも手で安定的に容器本体を携帯することができ、よって片手で容易に操作可能であるなど、一層実用性に秀れた構成の飲料用容器となる。
【００４９】
また、請求項３記載の発明においては、スライド移動により解除押動部の押動作動を阻止するストッパ部の構成を簡易に設計実現可能となる一層実用性に秀れた飲料用容器となる。
【００５０】
また、請求項４記載の発明においては、解除操作部もストッパ部も、容器本体を携帯した手の指で容易に操作することができる構成を簡易に設計実現可能となる一層実用性に秀れた飲料用容器となる。
【００５１】
また、請求項５記載の発明は上述のように構成したから、ストッパ部により解除押動部の誤操作を確実に防止でき、また、このストッパ部は単に容器本体を携帯した手の指で上下方向にスライド移動させるだけで解除押動部を押動できる状態と押動できない状態とに容易に切替操作することができる上、解除押動部とストッパ部とを容器本体の上部位置に設けて、容器本体を携帯した手の指でストッパ部をスライド操作した後、同じ指で解除押動部を押動操作し得るように構成したため、ストッパ部のスライド操作と解除押動部の押動操作とを同じ指で一連の動作で行うことができるなど、極めて操作性に秀れ、実用性に秀れた画期的な飲料用容器となる。
【図面の簡単な説明】
【図１】
本実施例を示す正面図である。
【図２】
本実施例を示す側面図である。
【図３】
本実施例の説明側断面図である。
【図４】
本実施例のストッパ部を解除押動部に接近スライド移動させて解除押動部の押動作動を阻止した状態を示す要部拡大断面図である。
【図５】
本実施例のストッパ部を解除押動部より離反スライド移動させて解除押動部を押動解除操作し得るようにした状態を示す要部拡大断面図である。
【符号の説明】
１  容器本体
２  飲口部
３  閉塞蓋
４  係止部
５  解除押動部
６  ストッパ部
７ 枢着部